(57)【特許請求の範囲】
【請求項１】
テープ状記録媒体に記録されている素材を再生する素材再生手段と、
上記素材再生手段からの再生素材をディスク状記録媒体に記録するディスクレコーダと、
イン点の指定があるまでは、上記ディスク状記録媒体の繰り返し記録領域に対し再生素材が繰り返し記録されるように上記ディスクレコーダを制御し、イン点の指定があったときには、上記繰り返し記録領域の次の領域をシークするように制御し、上記ディスク状記録媒体のシークされた上記次の領域の通常記録領域に対し再生素材が通常に記録されるように上記ディスクレコーダを制御し、
アウト点の指定があったときには、その指定時から一定時間が経過するまで上記通常の記録を継続し、その後、別の繰り返し記録領域に対し再生素材が繰り返し記録されるように上記ディスクレコーダを制御する制御手段とからなるディスク記録システム。
【請求項２】
テープ状記録媒体に記録されている素材の内、所望の範囲の素材を、ディスク状記録媒体に記録する編集方法であって、
イン点が指定されるまでの間、上記ディスク状記録媒体の繰り返し記録領域に対し、上記テープ状記録媒体から再生される再生素材が、繰り返し記録される繰り返し記録ステップと、
イン点の指定が行われた後に、上記繰り返し記録領域の次の領域をシークし、上記ディスク状記録媒体のシークされた上記次の領域の通常記録領域に対し、上記テープ状記録媒体から再生される再生素材が通常に記録される通常記録ステップとを含み、
アウト点の指定があったときには、その指定時から一定時間が経過するまで上記通常記録ステップを継続し、その後、新たな繰り返しステップに移行する編集方法。
【請求項３】
テープ状記録媒体からの再生素材をディスク状記録媒体に記録するディスクレコーダと、
イン点の指定があるまでは、論理アドレス範囲に対応する上記ディスク状記録媒体上の繰り返し記録領域に再生素材が繰り返し記録されるように上記ディスクレコーダを制御し、イン点の指定があったときには、上記繰り返し記録領域の次の領域をシークするように制御し、上記ディスク状記録媒体のシークされた上記次の領域の通常記録領域に対し再生素材が通常に記録されるように上記ディスクレコーダを制御する制御手段とを有するディスク記録システム。
【請求項４】
テープ状記録媒体に記録されている素材の内、所望の範囲の素材を、ディスク状記録媒体に記録する編集方法であって、
イン点が指定されるまでの間、論理アドレス範囲に対応する上記ディスク状記録媒体上の繰り返し記録領域に、上記テープ状記録媒体から再生される再生素材を、繰り返し記録する繰り返し記録ステップと、
イン点の指定が行われた後、上記繰り返し記録領域の次の領域をシークし、上記ディスク状記録媒体のシークされた上記次の領域の通常記録領域に、上記テープ状記録媒体から再生される再生素材を通常記録する通常記録ステップとを含む編集方法。
【発明の詳細な説明】
【０００１】
【発明の属する技術分野】
本発明は、例えばディスク状記録媒体を用いた記録システム等に適用して好適なにディスク記録システム及び編集方法に関する。
【０００２】
【従来の技術】
近年、磁気テープ等に記録された映像信号を、一旦、ハードディスクに記録し、このハードディスクに記録されている映像信号の内の所望の区間の映像信号のみを再生し、その再生信号に対して各種処理を施す編集方法が採用されている。ハードディスクは、磁気テープと比較して、アクセス速度が格段に速いからである。
【０００３】
【発明が解決しようとする課題】
ところで、ハードディスクは、アクセス速度は速いものの、容量の点では、磁気テープに遠く及ばない。そこで、ハードディスクを用いた編集においては、編集で使用する映像信号だけを記録して、少ない容量を有効に使用することが好ましい。しかしながら、磁気テープから再生される映像信号を、テレビジョンモニタの管面上でモニタし、使用したいと思った区間の先頭及び後尾位置をキー入力により確実に指定し、これをハードディスクに記録することは、オペレータにとっても困難であり、また、機器の能力により実現することも困難である。
【０００４】
本発明はこのような点を考慮してなされたもので、少ない容量を有効に使用できると共に、必要な映像を確実に記録することのできるディスク記録システム及び編集方法を提案しようとするものである。
【０００５】
【課題を解決するための手段】
本発明のディスク記録システムは、テープ状記録媒体に記録されている素材を再生する素材再生手段と、素材再生手段からの再生素材をディスク状記録媒体に記録するディスクレコーダと、イン点の指定があるまでは、ディスク状記録媒体の繰り返し記録領域に対し再生素材が繰り返し記録されるようにディスクレコーダを制御し、イン点の指定があったときには、繰り返し記録領域の次の領域をシークするように制御し、ディスク状記録媒体のシークされた次の領域の通常記録領域に対し再生素材が通常に記録されるようにディスクレコーダを制御し、アウト点の指定があったときには、その指定時から一定時間が経過するまで通常の記録を継続し、その後、別の繰り返し記録領域に対し再生素材が繰り返し記録されるようにディスクレコーダを制御する制御手段とからなるものである。
また、本発明の編集方法は、テープ状記録媒体に記録されている素材の内、所望の範囲の素材を、ディスク状記録媒体に記録する編集方法であって、イン点が指定されるまでの間、ディスク状記録媒体の繰り返し記録領域に対し、テープ状記録媒体から再生される再生素材が、繰り返し記録される繰り返し記録ステップと、イン点の指定が行われた後に、繰り返し記録領域の次の領域をシークし、ディスク状記録媒体のシークされた次の領域の通常記録領域に対し、テープ状記録媒体から再生される再生素材が通常に記録される通常記録ステップとを含み、アウト点の指定があったときには、その指定時から一定時間が経過するまで通常記録ステップを継続し、その後、新たな繰り返しステップに移行するものである。
また、本発明のディスク記録システムは、テープ状記録媒体からの再生素材をディスク状記録媒体に記録するディスクレコーダと、イン点の指定があるまでは、論理アドレス範囲に対応するディスク状記録媒体上の繰り返し記録領域に再生素材が繰り返し記録されるようにディスクレコーダを制御し、イン点の指定があったときには、繰り返し記録領域の次の領域をシークするように制御し、ディスク状記録媒体のシークされた次の領域の通常記録領域に対し再生素材が通常に記録されるようにディスクレコーダを制御する制御手段とを有するものである。
また、本発明の編集方法は、テープ状記録媒体に記録されている素材の内、所望の範囲の素材を、ディスク状記録媒体に記録する編集方法であって、イン点が指定されるまでの間、論理アドレス範囲に対応するディスク状記録媒体上の繰り返し記録領域に、テープ状記録媒体から再生される再生素材を、繰り返し記録する繰り返し記録ステップと、イン点の指定が行われた後、繰り返し記録領域の次の領域をシークし、ディスク状記録媒体のシークされた次の領域の通常記録領域に、テープ状記録媒体から再生される再生素材を通常記録する通常記録ステップとを含むものである。
【０００６】
上記発明によれば、イン点の指定があるまでは、上記ディスクレコーダの記録可能領域の繰り返し記録領域に対し再生素材が繰り返し記録され、イン点の指定があったときには、上記ディスクレコーダの通常記録領域に対し再生素材が通常に記録され、アウト点の指定があったときには、その指定時から一定時間が経過した後に、上記繰り返し記録領域に対し再生素材が繰り返し記録される。
【０００７】
【発明の実施の形態】
以下に、図１を参照して、主要な発明の概要について、図２〜図６を参照して本発明の実施の形態について夫々詳細に説明する。
【０００８】
〔主要な発明の概要〕
【０００９】
図１は、主要な発明の概念を説明するための説明図である。図１Ａに示すように、主要な発明では、図１Ａに示すように、素材再生手段１００、ディスクレコーダ２００及び制御手段３００が用いられる。素材再生手段１００で再生される素材は、ディスクレコーダ２００に記録される。
【００１０】
図１Ｂ及びＣを参照して、素材再生手段１００で再生される素材をディスクレコーダ２００に記録する際の動作について説明する。
【００１１】
図１Ｂは、例えばテープ状記録媒体等の記録媒体に記録された素材が、素材再生手段１００により再生されている状態を示している。イン点及びアウト点が夫々指定されたとき、各イン点及びアウト点間の素材は、夫々、素材Ａ、素材Ｂ及び素材Ｃとなる。図１Ｃは、ディスクレコーダ２００の記録エリア上の記録の様子を概念的に示した図である。斜線で示す領域は、繰り返し記録領域、ドットで示す領域は、余剰記録領域である。
【００１２】
図１Ａに示すように、素材再生手段１００からは、間断なく、素材が再生される。再生素材は、イン点の指定があるまでは、ディスクの記録エリアの内、繰り返し記録領域に指定されているエリア内に繰り返し記録される。例えばセクタ１〜セクタ５までが、上記領域の場合、再生素材は、セクタ１、セクタ２、・・・・セクタ５の順序で記録される。セクタ５に対する再生素材の記録が済むと、再び、セクタ１、セクタ２、・・・・セクタ５の順序で、再生素材が記録される。上記繰り返し記録領域に、再生素材が繰り返し記録されているときに、イン点の指定が有ると、即座にシークが行われて、上記繰り返し記録領域の次の領域から、再生素材が順次記録される。このとき、上述のような繰り返し記録は行われずに、通常の記録が行われる。
【００１３】
続いて、アウト点の指定が有ると、その時点から所定時間だけ経過した時点の記録領域から上述と同じ長さの繰り返し領域が設定され、その繰り返し領域に、再生素材が繰り返し記録される。尚、「所定時間だけ経過」することにより、図１Ｃにおいてドットで示すように、余剰記録領域が形成される。以上の処理が繰り返し行われることにより、素材Ａ、素材Ｂ及び素材Ｃが、その前後に、夫々、いわばのりしろが付けられた状態で、ディスク上の記録領域に記録される。
【００１４】
従って、必要な素材を確実にディスクに記録できると共に、少ない記録容量を有効に使用することができる。以下、より詳しい例を、実施の形態として説明する。
【００１５】
［実施の形態］
【００１６】
図２は、実施の一形態を示す、編集システムの構成図である。この図２に示す編集システムは、ＣＰＵ３０３にＣＰＵバス３０４が接続され、ＣＰＵバス３０４にインターフェース回路１０２を介してＶＴＲ１０１が接続され、インターフェース回路３０２を介して編集機３０１が接続され、ＲＡＭ３０６が接続され、ビデオ制御部３１１が接続され、ディスクレコーダ制御部３１２が接続され、更にこのディスクレコーダ制御部３１２に、ハードディスクドライブ２０１〜２０７がディジーチェーン接続され、データバス３０５にビデオ制御部３１１、ディスクレコーダ制御部３１２が夫々接続されて構成される。
【００１７】
ここで、上記ＲＡＭ３０６は、記録モードデータ３０７、開始位置データ３０８、終了位置データ３０９及び現在位置データ３１０が記憶される。これらのデータについては後述する。また、上記ディスク制御部３１２は、ディスクドライブ２０１〜２０７に記録するデータ若しくはディスクドライブ２０１〜２０７から再生されるデータのバッファとしての、イメージバッファ３１３と、ディスク制御部３１４とで構成される。ここで、イメージバッファ３１３の記憶容量は、少なくとも、ＶＴＲ１０１から間断無く供給されてくる再生映像データが、ディスクドライブ２０１〜２０７に全て記録されるために必要十分な容量とされる。
【００１８】
ディスク制御部３１４は、ディスクドライブ２０１〜２０７を制御するためのテーブル３１５を有する。ここで、図３Ａを参照して、上記テーブル３１５について説明する。テーブル３１５は、ブロック番号データ、論理アドレスデータ及びディスクＩＤデータからなる。ブロック番号データは、記録時に、１フレーム分の映像データに対して、１つの値が与えられる。論理アドレスデータは、トラック番号データ、論理セクタ番号データ及びデータ長データからなる。ディスクＩＤデータは、ディスク２０１〜２０７の各ＩＤである。図２に示した現在位置データ３１０が、論理アドレスデータに相当する。
【００１９】
ここで、論理セクタ番号データは、１フレーム分の映像データのデータ量に対応する全セクタの内の先頭のセクタ番号に対応する。映像データは、フレームを単位とするが、記録単位はセクタである。通常、１フレームはＮセクタからなる。よって、各フレームに対応するブロック番号データを、各フレームのセクタの内の先頭の論理セクタ番号データと対応させて、テーブルに登録しておく。これにより、ＣＰＵ３０３からブロック番号データが供給されると、ディスク制御部３１４は、そのブロック番号データに対応して登録されている、論理アドレスデータをディスクドライブ２０１〜２０７に供給する。ディスクドライブ２０１は、論理アドレスデータが供給されると、内部で物理アドレスデータに変換し、その物理アドレスデータの示す記録領域に記録されている映像データを、データ長データが示す分だけ読み出す。
【００２０】
尚、データ長データは、常に一定値となる。記録、再生の最小単位が１フレームだからである。また、上記テーブル３１５の内容は、ＶＴＲ１０１からの再生映像データが、ディスクドライブ２０１〜２０７に記録されるのと同じように、書き換えられる。つまり、繰り返し記録領域に対応する論理アドレスの範囲内において、循環して、ＣＰＵ３０３が発生したブロック番号データが書き換えられる。そして、マークインキーが押されると、その時点から、繰り返し記録領域に対応する論理アドレスの範囲の次の記憶領域から、順次、ブロック番号データ及び論理アドレスデータが書き込まれる。勿論、論理アドレスデータは、ＲＯＭ等から、ＲＡＭ３０６にロードしておき、ブロック番号データのみを書き換えるようにしても良い。
【００２１】
次に、図４を参照して、記録時のシーケンスについて説明する。図２に示した編集機３０１の図示しないスタートキーが押されると、編集機３０１からＣＰＵ３０３に対し、繰り返し記録を行うことを示す制御信号が供給される。これによって、ＣＰＵ３０３は、ディスク制御部３１４を、繰り返し記録モードとする。ディスク制御部３１４は、ＶＴＲ１０１で再生され、ビデオ制御部３１１を介して供給される再生映像データを、ディスクドライブ２０１〜２０７の３０ブロック分の記録エリアに対し、繰り返し記録するようディスクドライブ２０１〜２０７を制御する。
【００２２】
この間、図２に示した編集機３０１のマークインキーが押されると、編集機３０１から、ＣＰＵ３０３に対し、通常の記録を行うことを示す制御信号が供給される。ＣＰＵ３０３は、ディスク制御部３１４を、通常記録モードとする。ディスク制御部３１４は、ＶＴＲ１０１で再生され、ビデオ制御部３１１を介して供給される再生映像データを、ディスクドライブ２０１〜２０７の３０ブロック分の記録エリアの次のエリアから逐次記録するよう制御する。ここで、「マークインキー」は、イン点を指定するためのキーである。
【００２３】
続いて、図２に示した編集機３０１のマークアウトキーが押されると、編集機３０１から、ＣＰＵ３０３に対し、例えば３０ブロック分だけ遅れて、繰り返し記録を行うことを示す制御信号が供給される。これによって、ＣＰＵ３０３は、ディスク制御部３１４を、余剰記録モードとする。余剰記録モードとは、マークアウトキーが押された後に、３０ブロック分の映像データを余剰に記録し、その後に、繰り返し記録モードに移行するものである。ディスク制御部３１４は、ＶＴＲ１０１で再生され、ビデオ制御部３１１を介して供給される再生映像データを、ディスクドライブ２０１〜２０７の記録エリアに対し、３０ブロック分だけ記録するよう制御する。ここで、「マークアウトキー」は、アウト点を指定するためのキーである。
【００２４】
３０ブロック分の記録が終了すると、再び繰り返し記録モードとなり、以降、上述した処理が繰り返されることにより、ディスクドライブ２０１〜２０７に、順次素材が記録される。
【００２５】
図３Ｂ、Ｃ、Ｄ及びＥは、繰り返し記録についてより分かりやすく示した図である。繰り返し記録は、ディスクドライブ２０１〜２０７の繰り返し記録領域に、素材１、素材２、素材３、・・・・素材６のように、供給される順序で順次記録される。素材６までが記録されると、図３Ｃに示すように、再び繰り返し記録領域の先頭に、次の素材７が記録される。そして、図３Ｄに示すように、次のサイクルでは、次の素材８が記録される。以上の処理が繰り返されることにより、図３Ｅに示すように、素材７、素材８、素材９及び素材１０が記録される。
【００２６】
この状態で、マークインキーが押されると、ディスク制御部３１４の制御により、ディスクドライブ２０１〜２０７の素材５及び素材６の記録されているエリア部分がシーク動作によって抜かされ、繰り返し記録領域の次の記録領域にアクセスされる。これ以降は、繰り返し記録領域に対する繰り返し記録モードは解除される。そして、素材１０の次に供給される素材１１、素材１２が逐次記録される。
【００２７】
尚、ディスクドライブ２０１〜２０７に記録されている素材の再生時の動作は次の通りである。即ち、イメージバッファ３１３に一旦書き込まれた後に読み出され、データバス３０５を介してビデオ制御部３１１に供給され、このビデオ制御部３１１において、映像信号に変換され、出力端子３１１ａから出力される。
【００２８】
次に、図５及び図６を参照して、図２に示した編集システムの記録時の動作について説明する。
【００２９】
ステップＳ１では、図２に示したＣＰＵ３０３が、編集機３０１の操作キーによる入力が有るか否かを判断し、「ＹＥＳ」であればステップＳ２に移行する。
ステップＳ２では、図２に示したＣＰＵ３０３が、編集機３０１のスタートキーが押されたか否かを判断し、「ＹＥＳ」であれば、繰り返し記録が指示されたものとして、ステップＳ３に移行する。スタートキーが押された場合には、繰り返し記録を行うことを示すデータが、ＲＡＭ３０６に記録モードデータ３０７として記憶される。ＣＰＵ３０３は、上記記録モードデータ３０７を読み取ることにより、繰り返し記録モードか否かを判断する。
【００３０】
これにより、図２に示したＣＰＵ３０３が、ビデオ制御部３１１に対し、再生の開始を指令する。ビデオ制御部３１１は、インターフェース回路１０２を介してＶＴＲ１０１に対し、再生の開始を指令する。ＶＴＲ１０１からの再生映像データは、ビデオ制御部３１１及びデータバス３０５を介して、ディスクレコーダ制御部３１２のイメージバッファ３１３に逐一書き込まれる。
【００３１】
ステップＳ３では、図２に示したＣＰＵ３０３が、現在位置データが、終了位置データよりも大きいか否かを判断して、「ＹＥＳ」であればステップＳ４に移行し、「ＮＯ」であればステップＳ５に移行する。尚、電源投入時に、ＣＰＵ３０３は、開始位置データ３０８、終了位置データ３０９をＲＡＭ３０６に記憶すると共に、先頭の論理アドレスデータを、現在位置データ３１０として、ＲＡＭ３０６に記憶する。終了位置データ３０９は、開始位置データ３０８から３０ブロック分だけ先の位置を示す。
【００３２】
ステップＳ４では、図２に示したＣＰＵ３０３が、ＲＡＭ３０６の記憶エリア上の現在位置データ３１０の記憶エリアに、開始位置データ３０８を書き込む。これは、現在位置データ３１０が示す位置が、終了位置データ３０９が示す位置を越えたからである。繰り返し記録を行うためには、現在位置データ３１０が示す位置が、終了位置データ３０９が示す位置となったときに、再び開始位置データ３０８としなければならない。
【００３３】
ステップＳ５では、図２に示したＣＰＵ３０３が、ＲＡＭ３０６に記憶されている現在位置データ３１０を読み出し、当該現在位置データ３１０を、ディスクレコーダ制御部３１２に供給する。ディスクレコーダ制御部３１２のディスク制御部３１４は、映像データを転送するディスクドライブ２０１〜２０７を決定する。そして、ディスク制御部３１４は、ＣＰＵ３０３から供給される現在位置データ３１０に対応する、物理アドレスデータを、テーブル３１５から読み出す。続いて、ディスク制御部３１４は、イメージバッファ３１３に記憶されている映像データを１ブロック分だけ読み出し、当該１ブロック分の映像データを、物理アドレスデータと共に、ディスクドライブ２０１〜２０７に転送する。
ディスクドライブ２０１〜２０７に転送された１ブロック分の映像データは、ディスクドライブ２０１〜２０７の物理アドレスデータの示す記録エリアに記録される。また、ディスク制御部３１４は、映像データを転送したディスクドライブ２０１〜２０７のディスクＩＤデータを、テーブル３１５に登録する。
【００３４】
ステップＳ６では、図２に示したＣＰＵ３０３が、ＲＡＭ３０６に記憶されている現在位置データ３１０の値を、１ブロック分だけインクリメントする。
ステップＳ７では、図２に示したＣＰＵ３０３が、マークインキーが押されたか否かを判断し、「ＹＥＳ」であればステップＳ８に移行し、「ＮＯ」であれば再びステップＳ３に移行する。
ステップＳ８では、図２に示したＣＰＵ３０３が、ＲＡＭ３０６に記憶されている終了位置データ３０９の値を、１ブロック分だけインクリメントする。
ステップＳ９では、図２に示したＣＰＵ３０３が、ＲＡＭ３０６に記憶されている終了位置データ３０９を、ＲＡＭ３０６の現在位置データ３１０の記憶エリアに書き込む。
【００３５】
ステップＳ１０では、図２に示したＣＰＵ３０３が、ＲＡＭ３０６に記憶されている現在位置データ３１０を読み出し、当該現在位置データ３１０を、ディスクレコーダ制御部３１２に供給する。ディスクレコーダ制御部３１２のディスク制御部３１４は、映像データを転送するディスクドライブ２０１〜２０７を決定する。そして、ディスク制御部３１４は、ＣＰＵ３０３から供給される現在位置データ３１０に対応する、物理アドレスデータを、テーブル３１５から読み出す。続いて、ディスク制御部３１４は、イメージバッファ３１３に記憶されている映像データを１ブロック分だけ読み出し、当該１ブロック分の映像データを、物理アドレスデータと共に、ディスクドライブ２０１〜２０７に転送する。
ディスクドライブ２０１〜２０７に転送された１ブロック分の映像データは、ディスクドライブ２０１〜２０７の物理アドレスデータの示す記録エリアに記録される。また、ディスク制御部３１４は、映像データを転送したディスクドライブ２０１〜２０７のディスクＩＤデータを、テーブル３１５に登録する。
【００３６】
ステップＳ１１では、図２に示したＣＰＵ３０３が、ＲＡＭ３０６に記憶されている現在位置データ３１０の値を、１ブロック分だけインクリメントする。
ステップＳ１２では、図２に示したＣＰＵ３０３が、編集機３０１の終了キーが押されたか否かを判断し、「ＹＥＳ」なら終了し、「ＮＯ」であればステップＳ１３に移行する。
ステップＳ１３では、図２に示したＣＰＵ３０３が、編集機３０１のマークアウトキーが押されたか否かを判断し、「ＹＥＳ」であればステップＳ１４に移行し、「ＮＯ」であれば再びステップＳ１０に移行する。
【００３７】
ステップＳ１４では、図２に示したＣＰＵ３０３が、現在位置データが、終了位置データよりも大きいか否かを判断して、「ＹＥＳ」であれば終了し、「ＮＯ」であればステップＳ１５に移行する。
ステップＳ１５では、図２に示したＣＰＵ３０３が、ＲＡＭ３０６の記憶エリア上の現在位置データ３１０の記憶エリアに、開始位置データ３０８を書き込む。この理由については、既にステップＳ４の説明において説明している。
【００３８】
ステップＳ１６では、図２に示したＣＰＵ３０３が、ＲＡＭ３０６に記憶されている現在位置データ３１０を読み出し、当該現在位置データ３１０を、ディスクレコーダ制御部３１２に供給する。ディスクレコーダ制御部３１２のディスク制御部３１４は、映像データを転送するディスクドライブ２０１〜２０７を決定する。そして、ディスク制御部３１４は、ＣＰＵ３０３から供給される現在位置データ３１０に対応する、物理アドレスデータを、テーブル３１５から読み出す。続いて、ディスク制御部３１４は、イメージバッファ３１３に記憶されている映像データを１ブロック分だけ読み出し、当該１ブロック分の映像データを、物理アドレスデータと共に、ディスクドライブ２０１〜２０７に転送する。
ディスクドライブ２０１〜２０７に転送された１ブロック分の映像データは、ディスクドライブ２０１〜２０７の物理アドレスデータの示す記録エリアに記録される。また、ディスク制御部３１４は、映像データを転送したディスクドライブ２０１〜２０７のディスクＩＤデータを、テーブル３１５に登録する。
【００３９】
ステップＳ１７では、図２に示したＣＰＵ３０３が、ＲＡＭ３０６に記憶されている現在位置データ３１０の値を、１ブロック分だけインクリメントする。そして再びステップＳ１４に移行する。
【００４０】
尚、再生時においては、編集機３０１から、イン点及びアウト点を、ブロック番号データの入力により、変更することができる。編集機３０１においてイン点及びアウト点が、ブロック番号データで指定され、更に、再生キーが入力される。ＣＰＵ３０３は、図２に示したテーブル３１５を参照し、指定されたイン点のブロック番号データから、アウト点のブロック番号データまでのブロック番号データに夫々対応する論理アドレスデータを、順次、ディスクドライブ２０１〜２０７に供給すると共に、ディスクドライブ２０１〜２０７を再生モードにする。よって、ディスクドライブ２０１〜２０７から、上記指定されたイン点からアウト点までの映像データが、再生される。従って、マークインキー及びマークアウトキーを押した時点がずれていたとしても、オペレータは、所望のイン点及びアウト点を簡単に指定して変更することができる。
【００４１】
〔実施の形態における効果〕
このように、本例においては、現在位置データ３１０が示す値が、終了位置データ３０９が示す値よりも大きい場合には、現在位置データ３１０の記憶エリアに開始位置データ３０８を書き込み、現在位置データ３１０を、ディスクドライブ２０１〜２０７の記録用のアドレスとして使用することにより、ＶＴＲ１０１で再生された再生映像データを、ディスクドライブ２０１〜２０７の記録エリアの内の、所定の３０ブロック分の記録エリアに対する繰り返し記録を行えるようにした。
この繰り返し記録が行われているときにマークインキーが押されると、所定の３０ブロック分の記録エリアの次のエリアから、通常の記録が開始される。
そして、マークアウトキーが押されると、その時点から、３０ブロック分の時間の経過の後、即ち、３０ブロック分の映像データを記録した後、再び、繰り返し記録を行うようにした。
【００４２】
よって、オペレータが思った位置を確実にイン点若しくはアウト点とすることができる。つまり、オペレータが、手動でイン点及びアウト点を指定すると、その指定位置は、オペレータがイン点若しくはアウト点にしようと思った位置よりも、後ろの位置になる。しかしながら、イン点の直前の位置から３０ブロック分の記録エリアと、アウト点の直後の位置から３０ブロック分の記録エリアには、映像データが記録されている。従って、指定位置が、オペレータがイン点若しくはアウト点にしようと思った位置よりも後ろの位置になったとしても、その位置の映像データは、上記記録エリアに記録されているので、後で、イン点及びアウト点の位置を前後にずらすだけで良い。
また、ハードディスクドライブ２０１〜２０７の容量や、その個数を最小限にすることができるといった大きなメリットがある。
【００４３】
【発明の効果】
上述せる本発明によれば、イン点の指定があるまでは、上記ディスクレコーダの記録可能領域の繰り返し記録領域に対し再生素材が繰り返し記録され、イン点の指定があったときには、上記ディスクレコーダの通常記録領域に対し再生素材が通常に記録され、アウト点の指定があったときには、その指定時から一定時間が経過した後に、上記繰り返し記録領域に対し再生素材が繰り返し記録されるので、ディスク状記録媒体の記録エリアを有効に使用できると共に、テープ状記録媒体に記録されている素材の内から所望の素材を確実にディスク状記録媒体に記録できるという効果がある。
【図面の簡単な説明】
【図１】主要な発明の概念を説明するための説明図である。
【図２】実施の形態を示す編集システムの構成図である。
【図３】編集テーブル及びマークイン時の動作の概要を示す説明図である。
【図４】記録時のシーケンスを説明するための説明図である。
【図５】記録動作を説明するためのフローチャートである。
【図６】記録動作を説明するためのフローチャートである。
【符号の説明】
１００  素材再生手段、２００  ディスクレコーダ、３００  制御手段、１０１  ＶＴＲ、１０２、３０２  インターフェース回路、２０１〜２０７  ディスクドライブ、３０１  編集機、３０３  ＣＰＵ、３０４  ＣＰＵバス、３０５  データバス、３０６  ＲＡＭ、３０７  記録モードデータ、３０８  開始位置データ、３０９  終了位置データ、３１０  現在位置データ、３１１  ビデオ制御部、３１２  ディスクレコーダ制御部、３１３  イメージバッファ、３１４  ディスク制御部、３１５  テーブル
【図１】
0003707124.tif 000002
【図２】
0003707124.tif 000003
【図３】
0003707124.tif 000004
【図４】
0003707124.tif 000005
【図５】
0003707124.tif 000006
【図６】
0003707124.tif 000007